(57)【要約】【課題】  個人情報の漏洩を困難にし、ＩＣカードの使用時のセキュリティを向上させる。【解決手段】  接触型ＩＣカード１の表面に液晶パネル２および入力キー３を配置し、接触型ＩＣカード１を使用する場合、入力キー３を操作することにより、接触型ＩＣカード１にパスワードを入力し、比較論理部６は、入力キー３から入力されたパスワードとＲＯＭ７に記憶されたパスワード７ａとを比較し、入力キー３から入力されたパスワードとＲＯＭ７に記憶されたパスワード７ａが一致した場合（ステップＳ３）、ＩＣチップ４に対して個人情報７ｃの取り込みを許可し、ＩＣチップ４は、個人情報７ｃの取り込みが許可されると、ＲＯＭ７に記憶された個人情報７ｃをＲＡＭ４ａに取り込む。【選択図】      図１
2006221313.tif 000002
【特許請求の範囲】
【請求項１】
パスワードを入力する入力キーと、
予め決められたパスワードを記憶する記憶部と、
情報の入出力処理を行うＩＣチップと、
前記入力キーから入力されたパスワードと前記記憶部に記憶されたパスワードとの比較結果に基づいて、前記ＩＣチップに情報の出力を許可する比較論理部とを備えることを特徴とするＩＣカード。
【請求項２】
パスワードを入力する入力キーと、
予め決められたパスワードおよび個人情報を記憶する記憶部と、
情報の入出力処理を行うＩＣチップと、
前記入力キーから入力されたパスワードと前記記憶部に記憶されたパスワードとの比較結果に基づいて、前記ＩＣチップへの前記個人情報の取り込みを許可する比較論理部とを備えることを特徴とするＩＣカード。
【請求項３】
パスワードを入力する入力キーと、
予め決められたパスワード、個人情報および画像データを記憶する記憶部と、
情報の入出力処理を行うＩＣチップと、
前記画像データを表示する表示部と、
前記表示部を駆動する駆動部と、
前記入力キーから入力されたパスワードと前記記憶部に記憶されたパスワードとの比較結果に基づいて、前記ＩＣチップへの前記個人情報の取り込みを許可するとともに、前記表示部への前記画像データの表示を許可する比較論理部とを備えることを特徴とするＩＣカード。
【請求項４】
前記画像データが前記表示部に表示されてから一定時間経過後に、前記画像データを前記表示部から消去することを特徴とする請求項３記載のＩＣカード。
【請求項５】
前記ＩＣチップに取り込まれた個人情報が外部に読み取られた後、前記ＩＣチップに取り込まれた個人情報を前記ＩＣチップから消去することを特徴とする請求項２から４のいずれか１項記載のＩＣカード。
【請求項６】
前記パスワードの入力、前記パスワードとの比較および前記ＩＣチップへの前記個人情報の取り込みに必要な電力を供給するバッテリまたは太陽電池をさらに備えることを特徴とする請求項２から５のいずれか１項記載のＩＣカード。
【請求項７】
パスワードを入力する入力キーと、
予め決められたパスワードを記憶する記憶部と、
情報の出力処理を行う情報出力部と、
前記情報出力部から出力される信号の周波数を無線周波数に変換するＲＦ部と、
前記ＲＦ部にて変換された信号を電波として放射するアンテナと、
前記入力キーから入力されたパスワードと前記記憶部に記憶されたパスワードとの比較結果に基づいて、前記情報出力部に情報の出力を許可する比較論理部とを備えることを特徴とするＩＣカード。
【請求項８】
パスワードを入力する入力キーと、
予め決められたパスワードおよび個人情報を記憶する記憶部と、
情報の出力処理を行う情報出力部と、
前記情報出力部から出力される信号の周波数を無線周波数に変換するＲＦ部と、
前記ＲＦ部にて変換された信号を電波として放射するアンテナと、
前記入力キーから入力されたパスワードと前記記憶部に記憶されたパスワードとの比較結果に基づいて、前記情報出力部への前記個人情報の取り込みを許可する比較論理部とを備えることを特徴とするＩＣカード。
【請求項９】
パスワードを入力する入力キーと、
予め決められたパスワード、個人情報および画像データを記憶する記憶部と、
情報の出力処理を行う情報出力部と、
前記情報出力部から出力される信号の周波数を無線周波数に変換するＲＦ部と、
前記ＲＦ部にて変換された信号を電波として放射するアンテナと、
前記画像データを表示する表示部と、
前記表示部を駆動する駆動部と、
前記入力キーから入力されたパスワードと前記記憶部に記憶されたパスワードとの比較結果に基づいて、前記情報出力部への前記個人情報の取り込みを許可するとともに、前記表示部への前記画像データの表示を許可する比較論理部とを備えることを特徴とするＩＣカード。
【請求項１０】
前記画像データが前記表示部に表示されてから一定時間経過後に、前記画像データを前記表示部から消去することを特徴とする請求項９記載のＩＣカード。
【請求項１１】
前記情報出力部に取り込まれた個人情報が外部に読み取られた後、前記情報出力部に取り込まれた個人情報を前記情報出力部から消去することを特徴とする請求項８から１０のいずれか１項記載のＩＣカード。
【請求項１２】
前記パスワードの入力、前記パスワードとの比較および前記情報出力部への前記個人情報の取り込みに必要な電力を供給するバッテリまたは太陽電池をさらに備えることを特徴とする請求項８から１１のいずれか１項記載のＩＣカード。
【発明の詳細な説明】
【技術分野】
【０００１】
本発明はＩＣカードに関し、特に、ＩＣカードの認証方法に適用して好適なものである。
【背景技術】
【０００２】
従来のＩＣカードでは、盗難などによって紛失したＩＣカードの不正使用を防止するため、ＩＣカードの使用時にパスワードやＩＤ番号を端末機に入力させることが行なわれている。
また、例えば、特許文献１には、不正に入手した暗証番号や生年月日などの個人情報から類推した暗証番号を用いることで、ＩＣカードが不正使用されることを防止するために、ＩＣカードの表面の周囲に複数の感圧センサを配置し、ＩＣカードの使用時に本人のみが記憶しているＩＣカードの特定の位置を押圧した場合にのみ、ＩＣカードの使用を許可する方法が開示されている。
【特許文献１】特開平９−１８００３６号公報
【発明の開示】
【発明が解決しようとする課題】
【０００３】
しかしながら、従来のＩＣカードでは、ＩＣカードの認証処理が端末機側で行われるため、パスワードやＩＤ番号を端末機側に保持させる必要があり、パスワードやＩＤ番号の機密情報が漏洩しやすいという問題があった。
また、従来のＩＣカードでは、氏名や取引先や会社名などの個人情報がＩＣカード上に記載されていることがあるため、ＩＣカードを紛失した場合には、それらの個人情報が悪用されるという問題があった。
【０００４】
また、特許文献１に開示された方法では、ＩＣカードに感圧センサを配置できる個数には制限がある上に、ＩＣカードの押圧位置を正確に特定することは困難であるために、ＩＣカードの認証精度が低いという問題があった。
そこで、本発明の目的は、個人情報の漏洩を困難にし、使用時のセキュリティを向上させることが可能なＩＣカードを提供することである。
【課題を解決するための手段】
【０００５】
上述した課題を解決するために、本発明の一態様に係るＩＣカードによれば、パスワードを入力する入力キーと、予め決められたパスワードを記憶する記憶部と、情報の入出力処理を行うＩＣチップと、前記入力キーから入力されたパスワードと前記記憶部に記憶されたパスワードとの比較結果に基づいて、前記ＩＣチップに情報の出力を許可する比較論理部とを備えることを特徴とする。
【０００６】
これにより、接触型ＩＣカードに対応しつつ、ＩＣカード自体にパスワードを入力することが可能となり、ＩＣカード上で本人認証を行わせることができる。このため、パスワードやＩＤ番号を端末機側に保持させる必要がなくなり、機密情報の漏洩を防止することが可能となるとともに、盗難などによってＩＣカードを紛失した場合においても、ＩＣチップからの情報の読み出しを不可能として、ＩＣカードの不正使用を防止することができる。
【０００７】
また、本発明の一態様に係るＩＣカードによれば、パスワードを入力する入力キーと、予め決められたパスワードおよび個人情報を記憶する記憶部と、情報の入出力処理を行うＩＣチップと、前記入力キーから入力されたパスワードと前記記憶部に記憶されたパスワードとの比較結果に基づいて、前記ＩＣチップへの前記個人情報の取り込みを許可する比較論理部とを備えることを特徴とする。
【０００８】
これにより、接触型ＩＣカードに対応しつつ、ＩＣカード自体にパスワードを入力することが可能となり、ＩＣカード上で本人認証を行わせることができる。このため、パスワードやＩＤ番号を端末機側に保持させる必要がなくなり、機密情報の漏洩を防止することが可能となるとともに、盗難などによってＩＣカードを紛失した場合においても、ＩＣカードからの個人情報の読み出しを不可能として、個人情報の流出を防止することができる。
【０００９】
また、本発明の一態様に係るＩＣカードによれば、パスワードを入力する入力キーと、予め決められたパスワード、個人情報および画像データを記憶する記憶部と、情報の入出力処理を行うＩＣチップと、前記画像データを表示する表示部と、前記表示部を駆動する駆動部と、前記入力キーから入力されたパスワードと前記記憶部に記憶されたパスワードとの比較結果に基づいて、前記ＩＣチップへの前記個人情報の取り込みを許可するとともに、前記表示部への前記画像データの表示を許可する比較論理部とを備えることを特徴とする。
【００１０】
これにより、接触型ＩＣカードに対応しつつ、ＩＣカード自体にパスワードを入力することが可能となり、ＩＣカード上で本人認証を行わせることができる。このため、パスワードやＩＤ番号を端末機側に保持させる必要がなくなり、機密情報の漏洩を防止することが可能となるとともに、盗難などによってＩＣカードを紛失した場合においても、ＩＣカードからの個人情報の読み出しを不可能として、個人情報の流出を防止することが可能となるとともに、本人画像が表示されないようにして、プライバシーなどを保護することができる。
【００１１】
また、本発明の一態様に係るＩＣカードによれば、前記画像データが前記表示部に表示されてから一定時間経過後に、前記画像データを前記表示部から消去することを特徴とする。
これにより、本人がＩＣカードを使用した場合においても、その時に最小限必要な時間だけ本人画像を表示部に表示させた上で、本人画像が表示部に必要以上に表示され続けることを防止することができる。このため、本人がＩＣカードを使用した後に、盗難などによってＩＣカードを紛失した場合においても、本人によるＩＣカードの使用に支障を来たすことなく、本人画像が表示されないようにすることができ、プライバシーなどを保護することができる。
【００１２】
また、本発明の一態様に係るＩＣカードによれば、前記ＩＣチップに取り込まれた個人情報が外部に読み取られた後、前記ＩＣチップに取り込まれた個人情報を前記ＩＣチップから消去することを特徴とする。
これにより、本人がＩＣカードを使用した場合においても、ＩＣチップに一旦取り込まれた個人情報がＩＣチップにそのまま残ることを防止することができる。このため、本人がＩＣカードを使用した後に、盗難などによってＩＣカードを紛失した場合においても、ＩＣカードからの個人情報の読み出しを不可能とすることができ、本人によるＩＣカードの使用に支障を来たすことなく、個人情報の流出を防止することが可能となる。
【００１３】
また、本発明の一態様に係るＩＣカードによれば、前記パスワードの入力、前記パスワードとの比較および前記ＩＣチップへの前記個人情報の取り込みに必要な電力を供給するバッテリまたは太陽電池をさらに備えることを特徴とする。
これにより、端末機などから電力の供給を受けることなく、ＩＣカード自体にパスワードを入力することが可能となるとともに、ＩＣカード上で本人認証を行わせることができる。このため、パスワードやＩＤ番号を端末機側に保持させる必要がなくなり、機密情報の漏洩を防止することが可能となるとともに、盗難などによってＩＣカードを紛失した場合においても、ＩＣチップからの情報の読み出しを不可能として、ＩＣカードの不正使用を防止することができる。
【００１４】
また、ＩＣカードに太陽電池を組み込むことで、バッテリが切れた場合においても、ＩＣカードの認証機能を動作させることが可能となり、ＩＣカード自体に認証機能を持たせた場合においても、ＩＣカードが使用できなくなることを防止することができる。
また、本発明の一態様に係るＩＣカードによれば、パスワードを入力する入力キーと、予め決められたパスワードを記憶する記憶部と、情報の出力処理を行う情報出力部と、前記情報出力部から出力される信号の周波数を無線周波数に変換するＲＦ部と、前記ＲＦ部にて変換された信号を電波として放射するアンテナと、前記入力キーから入力されたパスワードと前記記憶部に記憶されたパスワードとの比較結果に基づいて、前記情報出力部に情報の出力を許可する比較論理部とを備えることを特徴とする。
【００１５】
これにより、非接触型ＩＣカードに対応しつつ、ＩＣカード自体にパスワードを入力することが可能となり、ＩＣカード上で本人認証を行わせることができる。このため、パスワードやＩＤ番号を端末機側に保持させる必要がなくなり、機密情報の漏洩を防止することが可能となるとともに、盗難などによってＩＣカードを紛失した場合においても、ＩＣカードからの情報の読み出しを不可能として、ＩＣカードの不正使用を防止することができる。
【００１６】
また、本発明の一態様に係るＩＣカードによれば、パスワードを入力する入力キーと、予め決められたパスワードおよび個人情報を記憶する記憶部と、情報の出力処理を行う情報出力部と、前記情報出力部から出力される信号の周波数を無線周波数に変換するＲＦ部と、前記ＲＦ部にて変換された信号を電波として放射するアンテナと、前記入力キーから入力されたパスワードと前記記憶部に記憶されたパスワードとの比較結果に基づいて、前記情報出力部への前記個人情報の取り込みを許可する比較論理部とを備えることを特徴とする。
【００１７】
これにより、非接触型ＩＣカードに対応しつつ、ＩＣカード自体にパスワードを入力することが可能となり、ＩＣカード上で本人認証を行わせることができる。このため、パスワードやＩＤ番号を端末機側に保持させる必要がなくなり、機密情報の漏洩を防止することが可能となるとともに、盗難などによってＩＣカードを紛失した場合においても、ＩＣカードからの個人情報の読み出しを不可能として、個人情報の流出を防止することができる。
【００１８】
また、本発明の一態様に係るＩＣカードによれば、パスワードを入力する入力キーと、予め決められたパスワード、個人情報および画像データを記憶する記憶部と、情報の出力処理を行う情報出力部と、前記情報出力部から出力される信号の周波数を無線周波数に変換するＲＦ部と、前記ＲＦ部にて変換された信号を電波として放射するアンテナと、前記画像データを表示する表示部と、前記表示部を駆動する駆動部と、前記入力キーから入力されたパスワードと前記記憶部に記憶されたパスワードとの比較結果に基づいて、前記情報出力部への前記個人情報の取り込みを許可するとともに、前記表示部への前記画像データの表示を許可する比較論理部とを備えることを特徴とする。
【００１９】
これにより、非接触型ＩＣカードに対応しつつ、ＩＣカード自体にパスワードを入力することが可能となり、ＩＣカード上で本人認証を行わせることができる。このため、パスワードやＩＤ番号を端末機側に保持させる必要がなくなり、機密情報の漏洩を防止することが可能となるとともに、盗難などによってＩＣカードを紛失した場合においても、ＩＣカードからの個人情報の読み出しを不可能として、個人情報の流出を防止することが可能となるとともに、本人画像が表示されないようにして、プライバシーなどを保護することができる。
【００２０】
また、本発明の一態様に係るＩＣカードによれば、前記画像データが前記表示部に表示されてから一定時間経過後に、前記画像データを前記表示部から消去することを特徴とする。
これにより、本人がＩＣカードを使用した場合においても、その時に最小限必要な時間だけ本人画像を表示部に表示させた上で、本人画像が表示部に必要以上に表示され続けることを防止することができる。このため、本人がＩＣカードを使用した後に、盗難などによってＩＣカードを紛失した場合においても、本人によるＩＣカードの使用に支障を来たすことなく、本人画像が表示されないようにすることができ、プライバシーなどを保護することができる。
【００２１】
また、本発明の一態様に係るＩＣカードによれば、前記情報出力部に取り込まれた個人情報が外部に読み取られた後、前記情報出力部に取り込まれた個人情報を前記情報出力部から消去することを特徴とする。
これにより、本人がＩＣカードを使用した場合においても、情報出力部に一旦取り込まれた個人情報が情報出力部にそのまま残ることを防止することができる。このため、本人がＩＣカードを使用した後に、盗難などによってＩＣカードを紛失した場合においても、ＩＣカードからの個人情報の読み出しを不可能とすることができ、本人によるＩＣカードの使用に支障を来たすことなく、個人情報の流出を防止することが可能となる。
【００２２】
また、本発明の一態様に係るＩＣカードによれば、前記パスワードの入力、前記パスワードとの比較および前記情報出力部への前記個人情報の取り込みに必要な電力を供給するバッテリまたは太陽電池をさらに備えることを特徴とする。
これにより、端末機などから電力の供給を受けることなく、ＩＣカード自体にパスワードを入力することが可能となるとともに、ＩＣカード上で本人認証を行わせることができる。このため、パスワードやＩＤ番号を端末機側に保持させる必要がなくなり、機密情報の漏洩を防止することが可能となるとともに、盗難などによってＩＣカードを紛失した場合においても、情報出力部からの情報の読み出しを不可能として、ＩＣカードの不正使用を防止することができる。
【００２３】
また、ＩＣカードに太陽電池を組み込むことで、バッテリが切れた場合においても、ＩＣカードの認証機能を動作させることが可能となり、ＩＣカード自体に認証機能を持たせた場合においても、ＩＣカードが使用できなくなることを防止することができる。
【発明を実施するための最良の形態】
【００２４】
以下、本発明の実施形態に係るＩＣカードについて図面を参照しながら説明する。
図１（ａ）は、本発明の第１実施形態に係るＩＣカードの概略構成を示す斜視図、図１（ｂ）は、本発明の第１実施形態に係るＩＣカードの内部構成を示すブロック図である。
図１において、接触型ＩＣカード１の表面には、液晶パネル２および入力キー３が配置されるとともに、ＩＣチップ４が埋め込まれ、接触型ＩＣカード１の端部には、外部電源端子５が設けられている。なお、接触型ＩＣカード１の厚さは、例えば、０．６７ｍｍとすることができる。ここで、入力キー３は、パスワードや暗証番号などを入力することができ、各キーには、数字やローマ字などを割り当てることができる。また、入力キー３のうちの１個に電源スイッチを割り当ててもよく、入力キー３を操作することで、接触型ＩＣカード１の電源をオン／オフできるようにすることができる。また、各キーには、複数の数字やローマ字などを割り当てるようにしてもよい。また、ＩＣチップ４は、外部端末との間で情報の入出力処理を行い、ＩＣチップ４には、接触型ＩＣカード１を使用するために必要な情報を一時的に記憶するＲＡＭ４ａが設けられている。
【００２５】
また、接触型ＩＣカード１には、パスワードの比較判定処理などを行う比較論理部６、外部から直接読み出しできないように情報を記憶するＲＯＭ７および液晶パネル２を駆動する液晶コントローラ８が設けられるとともに、接触型ＩＣカード１に電力を供給するバッテリ９が内蔵されている。ここで、ＲＯＭ７には、予め決められたパスワード７ａ、接触型ＩＣカード１の所有者本人の画像データ７ｂ、接触型ＩＣカード１を使用するために必要な所有者本人に関する個人情報７ｃなどを記憶することができる。なお、パスワード７ａは、複数桁の数字のみで構成してもよく、数字やローマ字などを混在させて構成してもよい。また、個人情報７ｃとしては、例えば、接触型ＩＣカード１の所有者本人の氏名、銀行などの取引先名、会社名、学校名、住所、生年月日などを挙げることができる。
【００２６】
比較論理部６は、入力キー３から入力されたパスワードとＲＯＭ７に記憶されたパスワード７ａとの比較結果に基づいて、ＩＣチップ４に情報の出力を許可することができる。例えば、比較論理部６は、入力キー３から入力されたパスワードとＲＯＭ７に記憶されたパスワード７ａが一致した場合、ＩＣチップ４に対して個人情報７ｃの取り込みを許可するとともに、液晶コントローラ８に対して画像データ７ｂの表示を許可することができる。
【００２７】
図２は、本発明の第１実施形態に係るＩＣカード１の動作を示すフローチャートである。
図２において、接触型ＩＣカード１を使用する場合、入力キー３に割り当てられた電源スイッチを押下することにより、接触型ＩＣカード１の電源をオンする（ステップＳ１）。そして、入力キー３を操作することにより、接触型ＩＣカード１にパスワードを入力する（ステップＳ２）。ここで、接触型ＩＣカード１にパスワードが入力されると、そのパスワードが比較論理部６に送られるとともに、ＲＯＭ７に記憶されたパスワード７ａが比較論理部６にて読み出される。そして、比較論理部６は、入力キー３から入力されたパスワードとＲＯＭ７に記憶されたパスワード７ａとを比較し、入力キー３から入力されたパスワードとＲＯＭ７に記憶されたパスワード７ａが一致した場合（ステップＳ３）、ＩＣチップ４に対して個人情報７ｃの取り込みを許可する。そして、ＩＣチップ４は、個人情報７ｃの取り込みが許可されると、ＲＯＭ７に記憶された個人情報７ｃをＲＡＭ４ａに取り込む（ステップＳ４）。
【００２８】
そして、接触型ＩＣカード１の所有者は、接触型ＩＣカード１にパスワードを入力すると、接触型ＩＣカード１を端末機に挿入する。そして、端末機は、ＩＣチップ４から個人情報７ｃを読み出すことにより、その接触型ＩＣカード１の使用を受け付けることができる。
一方、入力キー３から入力されたパスワードとＲＯＭ７に記憶されたパスワード７ａが一致しない場合、ＲＯＭ７に記憶された個人情報７ｃがＲＡＭ４ａに取り込まれない。このため、接触型ＩＣカード１が端末機に挿入された場合においても、端末機は、ＩＣチップ４から個人情報７ｃを読み出すことができず、接触型ＩＣカード１の使用を拒絶することができる。
【００２９】
これにより、接触型ＩＣカード１自体にパスワードを入力することが可能となり、接触型ＩＣカード１上で本人認証を行わせることができる。このため、パスワード７ａを端末機側に保持させる必要がなくなり、機密情報の漏洩を防止することが可能となるとともに、盗難などによって接触型ＩＣカード１を紛失した場合においても、接触型ＩＣカード１からの個人情報７ｃの読み出しを不可能として、個人情報７ｃの流出を防止することが可能となる。
【００３０】
また、入力キー３から入力されたパスワードとＲＯＭ７に記憶されたパスワード７ａが一致した場合（ステップＳ３）、比較論理部６は、液晶コントローラ８に対して画像データ７ｂの読み出しを許可する。そして、液晶コントローラ８は、画像データ７ｂの読み出しが許可されると、ＲＯＭ７から画像データ７ｂを読み出す。そして、液晶コントローラ８は、液晶パネル２を駆動するための各種タイミング信号とともに、画像データ７ｂを液晶パネル２に出力することにより、画像データ７ｂを液晶パネル２に表示させる（ステップＳ５）。
【００３１】
一方、入力キー３から入力されたパスワードとＲＯＭ７に記憶されたパスワード７ａが一致しない場合、液晶コントローラ８は画像データ７ｂの読み出しを拒否される。このため、盗難などによって接触型ＩＣカード１を紛失した場合においても、本人画像が液晶パネル２に表示されることを防止することが可能となり、本人画像の悪用を防止することができる。
【００３２】
次に、液晶コントローラ８は、画像データ７ｂが液晶パネル２に表示されてから一定時間経過後に、画像データ７ｂを液晶パネル２から消去する（ステップＳ６）。これにより、所有者本人が接触型ＩＣカード１を使用した場合においても、その時に最小限必要な時間だけ本人画像を液晶パネル２に表示させた上で、本人画像が液晶パネル２に必要以上に表示され続けることを防止することができる。このため、所有者本人が接触型ＩＣカード１を使用した後に、盗難などによって接触型ＩＣカード１を紛失した場合においても、所有者本人による接触型ＩＣカード１の使用に支障を来たすことなく、本人画像が液晶パネル２に表示されないようにすることができ、所有者本人のプライバシーなどを保護することができる。
【００３３】
次に、ＩＣチップ４に取り込まれた個人情報７ｃが端末機に読み取られると、ＩＣチップ４に取り込まれた個人情報７ｃをＲＡＭ４から消去する（ステップＳ７）。これにより、所有者本人が接触型ＩＣカード１を使用した場合においても、ＩＣチップ４に一旦取り込まれた個人情報７ｃがＩＣチップ４にそのまま残ることを防止することができる。このため、所有者本人が接触型ＩＣカード１を使用した後に、盗難などによって接触型ＩＣカード１を紛失した場合においても、接触型ＩＣカード１からの個人情報７ｃの読み出しを不可能とすることができ、所有者本人による接触型ＩＣカード１の使用に支障を来たすことなく、個人情報７ｃの流出を防止することが可能となる。
【００３４】
次に、ＩＣチップ４に取り込まれた個人情報７ｃをＲＡＭ４ａから消去すると、接触型ＩＣカード１の電源を自動的にオフする（ステップＳ８）。これにより、接触型ＩＣカード１の使用に支障を来たすことなく、バッテリ９の電力の消耗を抑制することが可能となる。
なお、バッテリ９は、パスワードの入力、パスワードの比較およびＩＣチップ４への個人情報７ｃの取り込みに必要な電力を供給する部分と、画像データ７ｂを液晶パネル２に表示させるために必要な電力を供給する部分とで分けるようにしてもよい。これにより、画像データ７ｂを液晶パネル２に表示させるための電力がなくなった場合においても、パスワードの入力、パスワードとの比較およびＩＣチップ４への個人情報７ｃの取り込みを行わせることができ、接触型ＩＣカード１が使用不能となることを防止することができる。
【００３５】
また、バッテリ９の電力が切れた場合、外部電源端子５を電源に接続することにより、接触型ＩＣカード１に電力を供給することができ、接触型ＩＣカード１が使用不能となることを防止することができる。
図３（ａ）は、本発明の第２実施形態に係るＩＣカードの概略構成を示す斜視図、図３（ｂ）は、本発明の第２実施形態に係るＩＣカードの内部構成を示すブロック図である。
【００３６】
図３において、非接触型ＩＣカード１１の表面には、液晶パネル１２および入力キー１３が配置され、非接触型ＩＣカード１１の端部には、外部電源端子１５が設けられている。なお、非接触型ＩＣカード１１の厚さは、例えば、１ｃｍ以上とすることができる。ここで、入力キー１３は、パスワードや暗証番号などを入力することができ、各キーには、数字やローマ字などを割り当てることができる。また、入力キー１３のうちの１個に電源スイッチを割り当ててもよく、入力キー１３を操作することで、非接触型ＩＣカード１１の電源をオン／オフできるようにすることができる。
【００３７】
また、非接触型ＩＣカード１１には、パスワードの比較判定処理などを行う比較論理部１６、外部から直接読み出しできないように情報を記憶するＲＯＭ１７および液晶パネル１２を駆動する液晶コントローラ１８が設けられるとともに、非接触型ＩＣカード１１に電力を供給するバッテリ１９が内蔵されている。また、非接触型ＩＣカード１１には、外部端末との間で情報の出力処理を行う情報出力部１４、情報出力部１４から出力された信号の周波数を無線周波数に変換するＲＦ部２１およびＲＦ部２１にて変換された信号を電波として放射するアンテナ２０が設けられている。
【００３８】
ここで、情報出力部１４には、非接触型ＩＣカード１１を使用するために必要な情報を一時的に記憶するＲＡＭ１４ａが設けられている。また、ＲＯＭ１７には、予め決められたパスワード１７ａ、非接触型ＩＣカード１１の所有者本人の画像データ１７ｂ、非接触型ＩＣカード１１を使用するために必要な所有者本人に関する個人情報１７ｃなどを記憶することができる。また、比較論理部１６は、入力キー１３から入力されたパスワードとＲＯＭ１７に記憶されたパスワード１７ａとの比較結果に基づいて、情報出力部１４に情報の出力を許可することができる。例えば、比較論理部１６は、入力キー１３から入力されたパスワードとＲＯＭ１７に記憶されたパスワード１７ａが一致した場合、情報出力部１４に対して個人情報１７ｃの取り込みを許可するとともに、液晶コントローラ１８に対して画像データ１７ｂの表示を許可することができる。
【００３９】
図４は、本発明の第２実施形態に係るＩＣカードの動作を示すフローチャートである。
図４において、非接触型ＩＣカード１１を使用する場合、入力キー１３に割り当てられた電源スイッチを押下することにより、非接触型ＩＣカード１１の電源をオンする（ステップＳ１１）。そして、入力キー１３を操作することにより、非接触型ＩＣカード１１にパスワードを入力する（ステップＳ１２）。ここで、非接触型ＩＣカード１１にパスワードが入力されると、そのパスワードが比較論理部１６に送られるとともに、ＲＯＭ１７に記憶されたパスワード１７ａが比較論理部１６にて読み出される。そして、比較論理部１６は、入力キー１３から入力されたパスワードとＲＯＭ１７に記憶されたパスワード１７ａとを比較し、入力キー１３から入力されたパスワードとＲＯＭ１７に記憶されたパスワード１７ａが一致した場合（ステップＳ１３）、情報出力部１４に対して個人情報１７ｃの取り込みを許可する。そして、情報出力部１４は、個人情報１７ｃの取り込みが許可されると、ＲＯＭ１７に記憶された個人情報１７ｃをＲＡＭ１４ａに取り込む（ステップＳ１４）。
【００４０】
そして、非接触型ＩＣカード１１の所有者が非接触型ＩＣカード１１を端末機に接近させると、非接触型ＩＣカード１１と端末機との間で通信が確立する。そして、非接触型ＩＣカード１１と端末機との間で通信が確立すると、情報出力部１４は、ＲＡＭ１４ａに取り込まれた個人情報１７ｃをＲＦ部２１に送る。そして、ＲＦ部２１は、情報出力部１４から個人情報１７ｃを受け取ると、その個人情報１７ｃを含む信号の周波数を無線周波数に変換し、その個人情報１７ｃを電波に乗せてアンテナ２０から放射させる。そして、端末機は、アンテナ２０を介して送られた個人情報１７ｃを受信すると、非接触型ＩＣカード１１の使用を受け付けることができる。
【００４１】
一方、入力キー１３から入力されたパスワードとＲＯＭ１７に記憶されたパスワード１７ａが一致しない場合、ＲＯＭ１７に記憶された個人情報１７ｃが情報出力部１４に取り込まれない。このため、非接触型ＩＣカード１１と端末機との間で通信が確立した場合においても、端末機は、非接触型ＩＣカード１１から個人情報１７ｃを受信することができず、非接触型ＩＣカード１１の使用を拒絶することができる。
【００４２】
また、入力キー１３から入力されたパスワードとＲＯＭ１７に記憶されたパスワード１７ａが一致した場合（ステップＳ１３）、比較論理部１６は、液晶コントローラ１８に対して画像データ１７ｂの読み出しを許可する。そして、液晶コントローラ１８は、画像データ１７ｂの読み出しが許可されると、ＲＯＭ１７から画像データ１７ｂを読み出す。そして、液晶コントローラ１８は、液晶パネル１２を駆動するための各種タイミング信号とともに、画像データ１７ｂを液晶パネル１２に出力することにより、画像データ１７ｂを液晶パネル１２に表示させる（ステップＳ１５）。
【００４３】
一方、入力キー１３から入力されたパスワードとＲＯＭ１７に記憶されたパスワード１７ａが一致しない場合、液晶コントローラ１８は画像データ１７ｂの読み出しが拒否される。
次に、液晶コントローラ１８は、画像データ１７ｂが液晶パネル１２に表示されてから一定時間経過後に、画像データ１７ｂを液晶パネル１２から消去する（ステップＳ１６）。
【００４４】
次に、ＩＣチップ１４に取り込まれた個人情報１７ｃが端末機に送信されると、情報出力部１４に取り込まれた個人情報１７ｃをＲＡＭ１４から消去する（ステップＳ１７）。
次に、情報出力部１４に取り込まれた個人情報１７ｃをＲＡＭ１４ａから消去すると、非接触型ＩＣカード１１の電源を自動的にオフする（ステップＳ１８）。
これにより、非接触型ＩＣカード１１を使用した場合においても、非接触型ＩＣカード１１自体にパスワードを入力することが可能となり、非接触型ＩＣカード１１上で本人認証を行わせることができる。このため、パスワードやＩＤ番号を端末機側に保持させる必要がなくなり、機密情報の漏洩を防止することが可能となるとともに、盗難などによって非接触型ＩＣカード１１を紛失した場合においても、非接触型ＩＣカード１１からの個人情報１７ｃの読み出しを不可能として、個人情報１７ｃの流出を防止することが可能となるとともに、本人画像が液晶パネル１２に表示されないようにして、プライバシーなどを保護することができる。
【００４５】
図５（ａ）は、本発明の第３実施形態に係るＩＣカードの概略構成を示す斜視図、図５（ｂ）は、本発明の第３実施形態に係るＩＣカードの内部構成を示すブロック図である。
図５において、非接触型ＩＣカード３１の表面には、液晶パネル３２、入力キー３１および太陽電池３９が配置されている。ここで、入力キー３３は、パスワードや暗証番号などを入力することができ、各キーには、数字やローマ字などを割り当てることができる。また、入力キー３３のうちの１個に電源スイッチを割り当ててもよく、入力キー３３を操作することで、非接触型ＩＣカード３１の電源をオン／オフできるようにすることができる。
【００４６】
また、非接触型ＩＣカード３１には、パスワードの比較判定処理などを行う比較論理部３６、外部から直接読み出しできないように情報を記憶するＲＯＭ３７および液晶パネル３２を駆動する液晶コントローラ３８が設けられている。また、非接触型ＩＣカード３１には、外部端末との間で情報の出力処理を行う情報出力部３４、情報出力部３４から出力された信号の周波数を無線周波数に変換するＲＦ部３１およびＲＦ部３１にて変換された信号を電波として放射するアンテナ４０が設けられている。
【００４７】
ここで、情報出力部３４には、非接触型ＩＣカード３１を使用するために必要な情報を一時的に記憶するＲＡＭ３４ａが設けられている。また、ＲＯＭ３７には、予め決められたパスワード３７ａ、非接触型ＩＣカード３１の所有者本人の画像データ３７ｂ、非接触型ＩＣカード３１を使用するために必要な所有者本人に関する個人情報３７ｃなどを記憶することができる。比較論理部３６は、入力キー３３から入力されたパスワードとＲＯＭ３７に記憶されたパスワード３７ａとの比較結果に基づいて、情報出力部３４に情報の出力を許可することができる。例えば、比較論理部３６は、入力キー３３から入力されたパスワードとＲＯＭ３７に記憶されたパスワード３７ａが一致した場合、情報出力部３４に対して個人情報３７ｃの取り込みを許可するとともに、液晶コントローラ３８に対して画像データ３７ｂの表示を許可することができる。
【００４８】
また、太陽電池３９は、パスワードの入力、パスワードの比較、情報出力部３４への個人情報３７ｃの取り込みに必要な電力を供給するとともに、画像データ３７ｂを液晶パネル３２に表示させるために必要な電力を供給することができる。
これにより、非接触型ＩＣカード３１に太陽電池３９を組み込むことで、非接触型ＩＣカード３１にバッテリを内蔵することなく、非接触型ＩＣカード３１の認証機能を動作させることが可能となり、非接触型ＩＣカード３１自体に認証機能を持たせた場合においても、非接触型ＩＣカード３１が使用できなくなることを防止することができる。
【００４９】
なお、上述した実施形態では、非接触型ＩＣカード１１に太陽電池３９を組み込む方法について説明したが、接触型ＩＣカード１に太陽電池を組み込むようにしてもよい。
また、上述したＩＣカードは、金融機関などで用いるキャッシュカードやクレジットカード、勤務管理システム、学生証や社員証などの様々の態様で使用することができ、それらの態様に合わせてＩＣカード上の認証処理を変更することができる。
【００５０】
例えば、ＩＣカードをキャッシュカードとして用いる場合、ＩＣカード側で暗証番号を入力した場合、その暗証番号がＡＴＭ（自動現金預け払い機）側に自動的に読み込まれるようにして、ＡＴＭ側での暗証番号の入力を省略できるようにしてもよい。また、ＡＴＭ側で暗証番号の入力した場合、その暗証番号がＩＣカードに自動的に読み込まれるようにして、ＩＣカード側での暗証番号の入力を省略できるようにしてもよい。また、ＩＣカード上に表示された画像データは数十秒程度で消去され、ＩＣチップに取り込まれた個人情報は数分後に消去されるようにすることができる。
【００５１】
また、ＩＣカードをクレジットカードとして用いる場合、ＩＣカードにパスワードを入力した後、ＩＣカード上に本人の顔写真を表示させることにより、本人かどうかの確認がとれるようにすることができる。
また、ＩＣカードを学生証として用いる場合、ＩＣカードにパスワードを入力した後、ＩＣカード上に本人の氏名や学校名や顔写真を表示させることにより、個人情報を保護することができ、学生証の悪用を防止することができる。また、学校の正門などにＲＦリーダを設置し、ＩＣカードをＲＦリーダに接近させた時に、氏名とクラス名をＲＦリーダに送信することにより、生徒の登下校の管理を行うことができ、生徒の出席をとる作業を省略することができる。
【図面の簡単な説明】
【００５２】
【図１】本発明の第１実施形態に係るＩＣカードの概略構成を示す図。
【図２】本発明の第１実施形態に係るＩＣカードの動作を示すフローチャート。
【図３】本発明の第２実施形態に係るＩＣカードの概略構成を示す図。
【図４】本発明の第２実施形態に係るＩＣカードの動作を示すフローチャート。
【図５】本発明の第３実施形態に係るＩＣカードの概略構成を示す図。
【符号の説明】
【００５３】
１  接触型ＩＣカード、２、１２、３２  液晶パネル、３、１３、３３  入力キー、４  ＩＣチップ、４ａ、１４ａ  ＲＡＭ、５、１５  外部電源端子、６、１６、３６  比較論理部、７、１７、３７  ＲＯＭ、７ａ、１７ａ、３７ａ  パスワード、７ｂ、１７ｂ、３７ｂ  画像データ、７ｃ、１７ｃ、３７ｃ  個人情報、８、１８、３８  液晶コントローラ、９、１９  バッテリ、１１、３１  非接触型ＩＣカード、１４、３４  情報出力部、２０、４０  アンテナ、２１、４１  ＲＦ部、３９  太陽電池
【図１】
2006221313.tif 000003
【図２】
2006221313.tif 000004
【図３】
2006221313.tif 000005
【図４】
2006221313.tif 000006
【図５】
2006221313.tif 000007